(57)【要約】【課題】  本発明は自立しずらい大きさや形状の異なるバックでも、簡単に自立でき、かつ従来と同様に使用できるとともに、不使用時にきれいに使用することができるカバン用自立具を得るにある。【解決手段】  自立しずらいカバンの内底の側面に面接触状態で添うように位置させることができる可撓性の帯状のベルトと、この帯状のベルトをカバンの内底の側面に添うようなリング状の長さに保持する保持具とでカバン用自立具を構成している。【選択図】  図４
2014217509.tif 000002
【特許請求の範囲】
【請求項１】
自立しずらいカバンの内底の側面に面接触状態で添うように位置させることができる可撓性の帯状のベルトと、この帯状のベルトをカバンの内底の側面に添うようなリング状の長さに保持する保持具とからなることを特徴とするカバン用自立具。
【請求項２】
帯状のベルトは長さ調整可能な保持具あるいは固定具で接続されたものであることを特徴とする請求項１記載のカバン用自立具。
【請求項３】
保持具は帯状のベルトの端部にそれぞれ形成されたガイド筒と、このガイド筒に両端部を任意の位置まで挿入させることができる長さ調整保持ベルトとで構成されたものであることを特徴とする請求項１記載のカバン用自立具。
【請求項４】
保持具は帯状のベルトの端部を長さ調整できるように固定的に保持できる接着テープ、面ファスナー、一方の端部側の帯状のベルトに所定間隔で形成した複数個の孔と、この複数個の孔のいずれかに係止される他方の端部の帯状のベルトに取付けられた係止片のいずれかであることを特徴とする請求項１記載のカバン用自立具。
【発明の詳細な説明】
【技術分野】
【０００１】
本発明は自立しずらいトートバック、リュックサック、ショルダーバック、ボストンバック、デイバック、ビジネスバック等のカバンを自立できるようにして使用するカバン用自立具に関する。
【背景技術】
【０００２】
自立しずらいバックは、使用中はそれほど問題はないが、不使用時にテーブルや床等に置くと、倒れて見苦しくなったり、横にして置いたりすると大きな置き場所が必要となるという欠点があった。
【先行技術文献】
【特許文献】
【０００３】
【特許文献１】特開２００３−２１０２２６号公報
【発明の概要】
【発明が解決しようとする課題】
【０００４】
本発明は以上のような従来の欠点に鑑み、自立しずらい大きさや形状の異なるバックでも、簡単に自立でき、かつ従来と同様に使用できるとともに、不使用時にきれいに使用することができるカバン用自立具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は自立しずらいカバンの内底の側面に面接触状態で添うように位置させることができる可撓性の帯状のベルトと、この帯状のベルトをカバンの内底の側面に添うようなリング状の長さに保持する保持具とでカバン用自立具を構成している。
【発明の効果】
【０００７】
以上の説明から明らかなように、本発明にあっては次に列挙する効果が得られる。
（１）請求項１により、自立しずらいカバンの内底の側面に面接触状態で可撓性の帯状のベルトを位置させることができる。
したがって、帯状のベルトによって、自立しずらいカバンを自立させることができる。
（２）前記（１）によって、可撓性の帯状のベルトをカバンの内底の側面に添うようなリング状の長さに保持具で保持することができる。
したがって、大きさや形状の異なるカバンの内底の側面に添うように位置させることができ、どんな自立しずらいカバンにでも使用することができる。
（３）前記（１）により、帯状のベルトをカバンの内底の側面に添うような長さに保持具で保持して、カバンの内底に設置するだけでよく、簡単に設置することができるとともに、カバンを自立させることができ、不使用時の美観の向上や収納場所を取ったりする不具合を防止することができる。
（４）請求項２、３、４も前記（１）〜（３）と同様な効果が得られる。
【図面の簡単な説明】
【０００８】
【図１】本発明を実施するための第１の形態の平面図。
【図２】本発明を実施するための第１の形態の側面図。
【図３】図２の３−３線に沿う断面図。
【図４】本発明を実施するための第１の形態の使用状態の説明図。
【図５】本発明を実施するための第２の形態の平面図。
【図６】本発明を実施するための第２の形態の側面図。
【図７】図６の７−７線に沿う断面図。
【図８】本発明を実施するための第３の形態の平面図。
【図９】本発明を実施するための第３の形態の側面図。
【図１０】図９の１０−１０線に沿う断面図。
【図１１】本発明を実施するための第４の形態の平面図。
【図１２】本発明を実施するための第４の形態の側面図。
【図１３】図１２の１３−１３線に沿う断面図。
【図１４】本発明を実施するための第５の形態の平面図。
【図１５】本発明を実施するための第５の形態の側面図。
【図１６】図１５の１６−１６線に沿う断面図。
【図１７】本発明を実施するための第６の形態の平面図。
【図１８】本発明を実施するための第６の形態の側面図。
【図１９】図１８の１９−１９線に沿う断面図。
【発明を実施するための形態】
【０００９】
以下、図面に示す本発明を実施するための形態により、本発明を詳細に説明する。
【００１０】
図１ないし図４に示す本発明を実施するための第１の形態において、１は自立しずらいトートバック、リュックサック、ショルダーバック、ボストンバック、デイバック、ビジネスバック等のカバン２を自立できるようにして使用するカバン用自立具で、このカバン用自立具１は自立しずらいカバン２の内底の側面２ａに面接触状態で添うように位置させることができる、例えば発泡樹脂の薄い板や合成樹脂板を用いた可撓性の帯状のベルト３と、この帯状のベルト３をカバン２の内底の側面２ａに添うようなリング状の長さに保持する保持具４とで構成されている。
【００１１】
前記可撓性の帯状のベルト３は幅寸法が、例えば６０ｍｍで、長さ寸法が、例えば４００ｍｍの２枚ベルト本体５、５で構成されている。
【００１２】
前記保持具４は前記２枚のベルト本体５、５の端部にそれぞれ形成されたガイド筒６、６、６、６と、このガイド筒６、６、６、６に両端部を任意の位置まで挿入させることができる、例えば合成樹脂板、厚紙等を用いた長さ調整保持ベルト７、７とで構成されている。
【００１３】
上記構成のカバン用自立具１は使用するカバン２の内底の側面２ａに面接触できる長さに長さ調整保持ベルト７、７を、ガイド筒６、６、６、６に挿入したり、引き出して調整する。
【００１４】
しかる後、カバン２内へ挿入して、カバン２の内底の側面２ａに面接触させることにより、カバン２の底面より帯状のベルト３の幅寸法分だけ垂直状態に保持され、カバン２を自立した状態にできる。
【００１５】
なお、カバン用自立具１をカバン２の内底に位置させた状態で、長さ調整保持ベルト７、７をガイド筒６、６、６、６に挿入したり、引き出してカバン２の側面２ａに面接触するように帯状のベルト３の長さを調整してもよい。
【００１６】
[発明を実施するための異なる形態]
次に、図５ないし図１９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１７】
図５ないし図７に示す本発明を実施するための第２の形態において、前記本発明を実施するための第１の形態と主に異なる点は、帯状のベルト３の２枚のベルト本体５、５の端部に面ファスナー８、８、８、８を取付けた保持具４Ａ、４Ａを用いた点で、このような保持具４Ａ、４Ａを用いたカバン用自立具１Ａにしても、前記本発明を実施するための第１の形態と同様な作用効果が得られる。
【００１８】
図８ないし図１０に示す本発明を実施するための第３の形態において、前記本発明を実施するための第１の形態と主に異なる点は、帯状のベルト３の２枚のベルト本体５、５の一端部に突起状の係止片９、９を形成するとともに、他端部に所定間隔で、該係止片９、９と係合される複数個の孔１０を形成した保持具４Ｂ、４Ｂを用いた点で、このような保持具４Ｂ、４Ｂを用いたカバン用自立具１Ｂにしても、前記本発明を実施するための第１の形態と同様な作用効果が得られる。
【００１９】
図１１ないし図１３に示す本発明を実施するための第４の形態において、前記本発明を実施するための第１の形態と主に異なる点は、カバン２のマチ２ｂ、２ｂ部分に面接触する部分の帯状のベルト３を切断し、端部に面ファスナー８、８、８、８を取付けてマチ幅を伸縮調整できるマチ幅調整保持具１１、１１を用いた点で、このようなマチ幅調整保持具１１、１１を用いたカバン用自立具１Ｃにしても、前記本発明を実施するための第１の形態と同様な作用効果が得られるとともに、マチ幅も簡単に調整することができる。
【００２０】
図１４ないし図１６に示す本発明を実施するための第５の形態において、前記本発明を実施するための第１の形態と主に異なる点は、帯状のベルト３の２枚のベルト本体５、５の端部を長さ調整して接着テープ１２、１２を用いて保持させる保持具４Ｃ、４Ｃを用いた点で、このような保持具４Ｃ、４Ｃを用いたカバン用自立具１Ｄにしても、前記本発明を実施するための第１の形態と同様な作用効果が得られる。
【００２１】
図１７ないし図１９に示す本発明を実施するための第６の形態において、前記本発明を実施するための第１の形態と主に異なる点は、１本の帯状のベルト３Ａを用い、該帯状のベルト３Ａの両端部に保持具４を取付けた点で、このような帯状のベルト３Ａを用いて構成したカバン用自立具１Ｅにしても、前記本発明を実施するための第１の形態と同様な作用効果が得られる。
【００２２】
なお、帯状のベルト３、３Ａの両端部に用いる保持具４は、前記第２、第３、第５の実施の形態で用いた保持具４Ａ、４Ｂ、４Ｃにしてもよい。
【００２３】
また、前記マチ幅調整保持具１１、１１はガイド筒内に出し入れできる長さ調整保持ベルト７、７を用いたり、複数個の孔と係止片を用いたり、接着テープを用いたものにしてもよい。
【産業上の利用可能性】
【００２４】
本発明は自立しずらいカバンに取付けて自立させるカバン用自立具を製造する産業で利用される。
【符号の説明】
【００２５】
１、１Ａ、１Ｂ、１Ｃ、１Ｄ、１Ｅ：、カバン用自立具、
２：カバン、        
３、３Ａ：可撓性の帯状のベルト、
４、４Ａ、４Ｂ、４Ｃ：保持具、  ５：ベルト本体、  
６：ガイド筒        ７：長さ調整保持ベルト、
８：面ファスナー、      ９：係止片、
１０：孔、        １１：マチ幅調整保持具、  
１２：接着テープ。
【図１】
2014217509.tif 000003
【図２】
2014217509.tif 000004
【図３】
2014217509.tif 000005
【図４】
2014217509.tif 000006
【図５】
2014217509.tif 000007
【図６】
2014217509.tif 000008
【図７】
2014217509.tif 000009
【図８】
2014217509.tif 000010
【図９】
2014217509.tif 000011
【図１０】
2014217509.tif 000012
【図１１】
2014217509.tif 000013
【図１２】
2014217509.tif 000014
【図１３】
2014217509.tif 000015
【図１４】
2014217509.tif 000016
【図１５】
2014217509.tif 000017
【図１６】
2014217509.tif 000018
【図１７】
2014217509.tif 000019
【図１８】
2014217509.tif 000020
【図１９】
2014217509.tif 000021